(57)【特許請求の範囲】
【請求項１】
複数のトレンドグラフを選択できるエリアを表示するとともに、複数のプロセスデータをトレンドグラフとして表示する表示手段と、前記複数のトレンドグラフを選択できるエリアのいずれかの部分を指示する指示手段と、前記指示手段によりトレンドグラフを選択できるエリアの指示が行われると、このエリアに対応するトレンドグラフが表示中であれば消去し、消去されたグラフであれば復帰させる手段と、を具備するグラフ表示装置。
【発明の詳細な説明】
【０００１】
【産業上の利用分野】
本発明は、火力発電プラント等のプロセスデータをトレンドクラフとして表示するグラフ表示装置に関するものである。
【０００２】
【従来の技術】
火力発電プラント等においては、効率的なプラント運転を行うために、プロセスデータをトレンドグラフとしてＣＲＴ表示装置に表示して監視を行う。このようなプラント状態を監視する場合、プロセス状態量の時間的変化を把握できるグラフ形式の画面表示が行われ、代表的なものとしてトレンドグラフがある。トレンドグラフとは、発電プラント等において、例えば発電量等の時事刻々と変化するプロセス状態量の時間的変化をＣＲＴ表示装置に曲線表示するものである。ところで、かかるトレンドグラフを表示する場合、例えば温度や回転数等の同一種類のプロセス状態量のトレンドグラフを複数個表示することがあり、温度と回転数が同じ動きをするトレンドグラフが重なり合って表示され、両者の識別がしにくくなり、プラント監視に支障を来す恐れがあった。
【０００３】
このような重なり合いの識別が困難な場合には、着目しているグラフのみを表示し、監視を行うために必要なトレンドグラフを消去したり、また、消去したグラフを復帰させる場合、対話のためのメニューの中の登録表示画面においてファンクションキーを操作し、設定項目の登録、または削除を行い、表示画面を切り替える操作を繰り返し行うことにより、グラフの消去や復帰を行っていた。
【０００４】
【発明が解決しようとする課題】
しかしながら、登録表示画面より設定項目の登録または削除を行い、表示画面を切り替える操作を行うと、その操作に時間と労力を要し、緊急時の対応に支障を来し、有効なプラント監視に影響を与える恐れがあった。
【０００５】
本発明は、このような問題に鑑みてなされたもので、その目的とするところは、表示画面を切り替えることなく同一画面上において不要なトレンドグラフを消去したり、復帰させることができ、短時間で多くのトレンドグラフが監視でき、有効なプラント監視が行えるグラフ表示装置を提供することにある。
【０００６】
【課題を解決するための手段】
前述した目的を達成するために本発明は、複数のトレンドグラフを選択できるエリアを表示するとともに、複数のプロセスデータをトレンドグラフとして表示する表示手段と、前記複数トレンドグラフを選択できるエリアのいずれかの部分を指示する指示手段と、前記指示手段によりトレンドグラフを選択できるエリアの指示が行われると、このエリアに対応するトレンドグラフが表示中であれば消去し、消去されたグラフであれば復帰させる手段と、を具備するグラフ表示装置である。
【０００７】
【作用】
本発明では、指示手段によりトレンドグラフを選択できるエリアの指示が行われると、表示画面を切り替えることなく、このエリアに対応するトレンドグラフが消去または復帰される。
【０００８】
【実施例】
以下、図面に基づいて本発明の実施例を詳細に説明する。
【０００９】
図１は、本発明の一実施例に係るグラフ表示装置の構成を示すブロック図である。同図において、１はプラントを示し、データ収集部２は、プラント１からのプロセスデータを収集する。記憶部３は、データ収集部２によって収集されたプロセスデータの画面に表示できる量と余分量を保存する。入力部９は、必要な情報を入力するキーボードである。表示項目登録部７は、入力部９の入力情報に基づき、表示に必要なプロセスデータの入力点や、表示レンジ等の登録を行う。表示データ編集部４は、記憶部３から必要なプロセスデータを読み出し、表示項目登録部７から登録された項目に従い、グラフ表示に必要な表示データを作成する。表示制御部５は、表示データをＣＲＴ表示装置６に表示できるように変換して出力する。ＣＲＴ表示装置６は、表示制御装置５から表示できるように変換されたデータを表示する。表示部８は、入力部９からグラフ表示要求を行うものである。タッチスクリーン装置１０は、ＣＲＴ表示装置６の画面上の任意の位置を指示入力するものである。
【００１０】
図２は、このタッチスクリーン装置１０を示すものである。このタッチスクリーン装置１０は、ＣＲＴ表示装置６の表示画面の直前に設置され、図２に示すように、縦横に赤外線が放射されている。指でこのタッチスクリーン装置１０をタッチすると、図３に示すように、赤外線がよぎることを検知する。座標変換部１１は、赤外線がよぎられるポイントを図４に示すように、ＣＲＴ表示装置６上の画面の位置を示すＸ−Ｙ座標に変換し、表示出力選択処理部１２に送る。
【００１１】
表示出力選択処理部１２は、座標変換部１１から送られる座標と対照表１５を照合して、対照表１５の中に登録されている消去および復帰のエリアと、指定した座標が一致していた場合、オペレータの指令情報を判断して、グラフの消去または復帰判断を行う。表示部８は、入力部９からグラフ表示要求を行うものである。
【００１２】
次に、本実施例の動作について説明する。プラント１が起動すると、予めオペレータが入力部９より表示に必要な入力点や、表示レンジ等を表示項目登録部７に登録する。データ収集部２は、表示項目登録部７から登録された項目に沿って、プラント１よりプロセスデータを収集する。このようにして収集されたプロセスデータは、記憶部３に画面表示できる量と余分量だけ、保存される。
【００１３】
トレンドグラフを表示する場合には、表示部８からグラフ表示要求を行うことにより、表示データ編集部４が登録項目に沿って、記憶部３からプロセスデータを読み出し、表示するための表示データを作成する。作成された表示データは、表示制御部５を介してＣＲＴ表示装置６にトレンドグラフ表示画面として表示される。
【００１４】
図５は、このトレンドグラフ表示画面を示すものである。この表示画面には４本のトレンドグラフ（１）、（２）、（３）、（４）が表示されており、（１）、（２）、（３）の番号の３本のトレンドグラフが重なり合って識別しにくい表示となっている。
【００１５】
このため、（２）の番号のトレンドグラフを消去する場合の処理を次に説明する。  図６は、この時の処理を示すフローチャートである。オペレータは、タッチスクリーン装置１０上で（２）のトレンドグラフを選択できるタッチエリアＡ内のいずれかの部分を指でタッチして指示を行う（ステップ６０１）。このような指示がなされると座標変換部１１は、指示されたポイントに対するＣＲＴ表示装置６上の表示画面の位置を示す座標に変換し、表示出力選択処理部１２に伝える（ステップ６０２）。
【００１６】
表示出力選択処理部１２は、座標変換部１１から送られる座標と対照表１５を照合して（ステップ６０３）、対照表１５の中に登録されている消去および復帰エリアと、送られてくる座標が一致している場合、その応答を表示制御部５を介してＣＲＴ表示装置６に伝える（ステップ６０４）。この結果、ＣＲＴ表示装置６では、（２）のトレンドグラフが消去されたかたちで表示される。
【００１７】
次に、（２）のトレンドグラフを復帰させる場合には、タッチスクリーン装置１０上のＡの部分を指でタッチすることにより、座標変換部１１は、指示された場所に対するＣＲＴ表示画面の位置を示す座標に変換し、表示出力選択処理部１２に伝える。表示出力選択処理部１２は、送られてくる座標と対照表１５を照合して、対照表１５の中に登録されている消去および復帰のエリアと、指定した座標が一致していた場合、その応答を表示制御部５を介してＣＲＴ表示装置６に伝える。この結果、ＣＲＴ表示装置６上では、（２）のグラフが復帰した状態で表示される。以後、同様の操作を繰り返すことにより、任意のトレンドグラフの消去または復帰を簡単に行うことができる。
【００１８】
このように本実施例によれば、表示されているトレンドグラフに対してタッチスクリーン装置１０から指示を行うことにより、表示画面を切り替えることなく、同一表示画面上においてトレンドグラフの消去や復帰を行うことにより、従来のように表示画面の切り替え項目の登録や削除を行う必要がなく、入力操作を軽減することができ、さらに短時間に多くのトレンドグラフの監視ができ、緊急時の対応が容易となり、や有効なプラント監視を行うことができる。
【００１９】
図７は、本発明の他の実施例を示したものである。本実施例では、タッチスクリーン装置１０の代わりに、ＣＲＴ表示装置６の表示画面の任意の場所を指示するものとして、ライトペン１３またはマウス１４を用いたものである。
【００２０】
【発明の効果】
以上、詳細に説明したように本発明によれば、表示画面を切り替えることなく同一画面上において不要なトレンドグラフを消去したり、復帰させることができ、短時間で多くのトレンドグラフが監視でき、有効なプラント監視が行える。
【図面の簡単な説明】
【図１】本発明の第１の実施例に係るグラフ表示装置の構成を示すブロック図
【図２】タッチスクリーン装置１０を示す図
【図３】タッチスクリーン装置１０の入力を示す図
【図４】タッチスクリーン装置１０の入力を示す図
【図５】ＣＲＴ表示装置６上に表示されたトレンドグラフを示す図
【図６】第１の実施例の主要な動作を示すフローチャート
【図７】第２の実施例に係るグラフ表示装置の構成を示すブロック図
【符号の説明】
１………プラント
２………データ収集部
３………記憶部
４………表示データ編集部
５………表示制御部
６………ＣＲＴ表示装置
７………表示項目登録部
８………表示部
９………入力部
１０………タッチスクリーン装置
１１………座標変換部
１２………表示出力選択処理部
１３………ライトペン
１４………マウス
１５………対照表
【図１】
0003623240.tif 000002
【図２】
0003623240.tif 000003
【図３】
0003623240.tif 000004
【図４】
0003623240.tif 000005
【図５】
0003623240.tif 000006
【図６】
0003623240.tif 000007
【図７】
0003623240.tif 000008